(57)【要約】      （修正有）【課題】上アーム及び下アームで防護さく構造を形成し、互いに枢着連結部が設置され、且つ、該枢着連結部内に、対応する軸レバー、軸孔及び互いに係止する突起、リブが設けられるため、使用上に回動及び位置決め効果を有し、防護さくの構造の使用及び収納の便利性を増加させる。【解決手段】上アーム１０及び下アーム２０を有し、該上アームの一端に枢着連結部１１が設けられ、他端に筒形継ぎ部２２が設けられ、該枢着連結部上に突起が設けられ、該下アームの一端に対応な枢着連結部が設けられ、他端に筒形継ぎ部１２が設けられ、該枢着連結部にはリブが設けられ、該上アーム及び下アームが、枢着連結部の対称的枢着により、回動、収納自在な回転角構造を形成し、且つ、枢着連結部中の突起及びリブにより位置決め効果を達成する。【選択図】図１
0003124879.tif 000002
【実用新案登録請求の範囲】
【請求項１】
一端に枢着連結部が設けられ、他端に突起を有する筒形継ぎ部が設けられた上アームと、
一端に対応な枢着連結部が設けられ、他端にリブを有する筒形継ぎ部が設けられた下アームとを有し、
前記上アーム及び下アームが、枢着連結部の対称的枢着により、回動、収納自在な回転角構造を形成し、且つ、枢着連結部中の突起及びリブにより位置決め効果を達成することを特徴とする防護さくの回転角構造。
【請求項２】
前記上アームの枢着連結部は、中央に軸レバーを有する円盤体に設けられ、前記軸レバーの傍に突起が設けられ、且つ前記枢着連結部の周りにフランジが設けられ、前記下アームの枢着連結部は、中央に軸孔を有する円盤体に設けられ、前記軸孔の傍にリブが設けられ、前記上アームの枢着連結部の軸レバーが下アームの枢着連結部の軸孔２１１に筒形継ぎされ、且つ、前記上アームの枢着連結部の周りにリング状に設けられたフランジが、前記下アームの枢着連結部の内径に係合され、両枢着連結部が継ぎ合わせて枢着状態に形成させることを特徴とする請求項１に記載の防護さくの回転角構造。
【請求項３】
前記上アーム枢着連結部の突起が、前記下アームの枢着連結部のリブに当接し、前記上アームと下アームの枢着連結部が回動する時、位置決め効果を形成させることを特徴とする請求項２に記載の防護さくの回転角構造。
【請求項４】
前記上アームの筒形継ぎ部は円棒体で、前記筒形継ぎ部には、防護さくの軸レバーの洞穴に組み立てるための、筒形継ぎ部の直径より小さいレバーが延び出されていることを特徴とする請求項１に記載の防護さくの回転角構造。
【請求項５】
前記下アームの筒形継ぎ部は円棒体で、前記筒形継ぎ部には、防護さくの軸レバーの洞穴に組み立てるための、筒形継ぎ部の直径より小さいレバーが延び出されていることを特徴とする請求項１に記載の防護さくの回転角構造。
【考案の詳細な説明】
【技術分野】
【０００１】
本考案は、回動及び位置決め効果を有する防護さくの回転角構造に係り、特に、例えばベビーベッドや介護ベッド又は類似構造のような床側防護さくの回転角構造に適合するものである。
【背景技術】
【０００２】
一般に、介護ベッド及びベビーベッドが安全性の配慮下で、病人またはベビーがベッドからの転落を防止するため、ともに、ベッドのサイドに防護さくが増設され、病人またはベビーへの保護になり、早期的な防護さくの材質は、鉄パイプを用い溶接により固定するものが多い。しかしながら、このような防護さく構造は、溶接により固定する必要があるため、全体の作製コストが高い。前記溶接型防護さくの欠点を改善するため、組合型防護さくがこれに応じて発明され、このような組合型防護さくは、一体成形な回転角及び棒体を作製し、さらに、回転角と棒体の組合により形成しており、このような組合型防護さくは、作製コストを減少したが、組立のとき時間がかかり、且つ組合型防護さくをベッドのサイドから取り出した後、回転角と棒体が先に取り外さなければ組合型防護さくの置き入れ空間を減少できないため、使用上に好ましくない部分があり、改善して使用上に適応させる必要がある。
【考案の開示】
【考案が解決しようとする課題】
【０００３】
実際使用上に欠点及び制限が存在する前記組合型防護さくを鑑み、本考案の創作者は、該事業に従事する長年の経験で、専念な研究をし、新規な防護さくの回転角構造を設計できた。
【課題を解決するための手段】
【０００４】
本考案の主な目的は、上アーム及び下アームの設計により、上アーム及び下アームを介して枢着連結部及び筒形継ぎ部が形成され、枢着連結部に対応する軸レバー、軸孔及び互いに係止する突起、リブが設けられ、本考案が回動及び位置決め効果を有するようになり、防護さくの構造の使用及び収納の便利性を増加するものである。
【０００５】
前記目的を達成するために、本考案は、上アーム及び下アームを有し、該上アームの一端に枢着連結部が設けられ、他端に筒形継ぎ部が設けられ、該枢着連結部上に突起が設けられ、該下アームの一端に対応な枢着連結部が設けられ、他端に筒形継ぎ部が設けられ、該枢着連結部上にリブが設けられ、該上アーム及び下アームが、枢着連結部の対称的枢着により、回動、収納自在な回転角構造を形成し、且つ、枢着連結部中の突起及びリブにより位置決め効果を達成する。
【０００６】
すなわち、本考案の第１考案は、一端に枢着連結部が設けられ、他端に突起を有する筒形継ぎ部が設けられた上アームと、一端に対応な枢着連結部が設けられ、他端にリブを有する筒形継ぎ部が設けられた下アームとを有し、前記上アーム及び下アームが、枢着連結部の対称的枢着により、回動、収納自在な回転角構造を形成し、且つ、枢着連結部中の突起及びリブにより位置決め効果を達成することを特徴とする防護さくの回転角構造を要旨としている。
また、本考案の第２考案は、前記上アームの枢着連結部は、中央に軸レバーを有する円盤体に設けられ、前記軸レバーの傍に突起が設けられ、且つ前記枢着連結部の周りにフランジが設けられ、前記下アームの枢着連結部は、中央に軸孔を有する円盤体に設けられ、前記軸孔の傍にリブが設けられ、前記上アームの枢着連結部の軸レバーが下アームの枢着連結部の軸孔２１１に筒形継ぎされ、且つ、前記上アームの枢着連結部の周りにリング状に設けられたフランジが、前記下アームの枢着連結部の内径に係合され、両枢着連結部が継ぎ合わせて枢着状態に形成させることを特徴とする本考案の第１考案に記載の防護さくの回転角構造を要旨としている。
また、本考案の第３考案は、前記上アーム枢着連結部の突起が、前記下アームの枢着連結部のリブに当接し、前記上アームと下アームの枢着連結部が回動する時、位置決め効果を形成させることを特徴とする本考案の第２考案に記載の防護さくの回転角構造を要旨としている。
また、本考案の第４考案は、前記上アームの筒形継ぎ部は円棒体で、前記筒形継ぎ部には、防護さくの軸レバーの洞穴に組み立てるための、筒形継ぎ部の直径より小さいレバーが延び出されていることを特徴とする本考案の第１考案に記載の防護さくの回転角構造を要旨としている。
また、本考案の第５考案は、前記下アームの筒形継ぎ部は円棒体で、前記筒形継ぎ部には、防護さくの軸レバーの洞穴に組み立てるための、筒形継ぎ部の直径より小さいレバーが延び出されていることを特徴とする本考案の第１考案に記載の防護さくの回転角構造を要旨としている。
【考案の効果】
【０００７】
以上のように、本考案は以下のような実用利点がある。
本考案は、上アーム及び下アームで防護さく構造を形成し、互いに枢着する枢着連結部が設置され、且つ、該枢着連結部内に、対応する軸レバー、軸孔及び互いに係止する突起、リブが設けられるため、使用上に回動及び位置決め効果を有し、防護さくの構造の使用及び収納の便利性を増加できる。
【考案を実施するための最良の形態】
【０００８】
本考案の構造、特徴及び使用効果に対してより一層の認識及び了解できるようにするため、好ましい実施例及び図示により詳しく説明する。
【実施例】
【０００９】
図１、図２に示すように、本考案の防護さくの回転角構造は、主に上アーム１０及び下アーム２０を含む。
【００１０】
該上アーム１０は、円盤状に設けられた枢着連結部１１を有し、枢着連結部１１の中央に軸レバー１１１が設けられ、該軸レバー１１１の中央に貫通孔１１２が形成され、軸レバー１１１の傍に突起１１３が設けられ、該突起１１３の内部に要求に応じて中空状に設け、枢着連結部１１の周りにフランジ１１４が設けられ、また、該枢着連結部１１に円棒体な筒形継ぎ部１２が延び出され、筒形継ぎ部１２に筒形継ぎ部１２の直径より小さいレバー１２１が延び出され、且つ、該レバー１２１上には洞穴１２２が設けられる。
【００１１】
該下アーム２０は、円盤状に設けられた枢着連結部２１を有し、枢着連結部２１の中央に軸孔２１１が設けられ、該軸孔２１１が上アーム１０の軸レバー１１１に対応して、該軸孔２１１の傍にリブ２１２が設けられ、また、該枢着連結部２１に円棒体な筒形継ぎ部２２が延び出され、筒形継ぎ部２２に筒形継ぎ部２２の直径より小さいレバー２２１が延び出され、且つ、該レバー２２１上には洞穴２２２が設けられる。
【００１２】
図２、図３に示すように、本考案の防護さくの回転角構造は、組立の時、上アーム１０の枢着連結部１１の軸レバー１１１を下アーム２０の枢着連結部２１の軸孔２１１に筒形継ぎするとともに、上アーム１０の枢着連結部１１の周りにリング状に設けられたフランジ１１４も、下アーム２０上の枢着連結部２１の内径に係合され、上アーム１０の枢着連結部１１と下アーム２０の枢着連結部２１とが枢着状態に対称的に結合されるとともに、上アーム１０と下アーム２０とが互いに回動する時に、二枢着連結部１１、２１内の突起１１３とリブ２１２により互いに当接し位置決められ、続いて、ねじまたはかしめ方式で両者を固定し、上アーム１０上の枢着連結部１１と下アーム２０上の枢着連結部２１とを安定に結合させ、本考案の組合構造を完成する。本考案の防護さくの回転角構造は、使用の際に、上アーム１０の筒形継ぎ部１２と下アーム２０の筒形継ぎ部２２を回して、上アーム１０の枢着連結部１１の軸レバー１１１とフランジ１１４に連動して下アーム２０の枢着連結部２１の軸孔２１１及び内径に沿って回動し、上アーム１０と下アーム２０の枢着連結部１１及び２１が回転して９０度までに達すると、上アーム１０の枢着連結部内の突起１１３が、下アーム２０の枢着連結部内のリブ２１２に係止され、位置決め効果を達成する。
【００１３】
図４、図５に示すように、まず、レバー３０の一端をねじまたはかしめ方式で上アーム１０の筒形継ぎ部１２の洞穴１２２と下アーム２０の筒形継ぎ部２２の洞穴２２２に固定させ、さらに、レバー３０の他端を回転軸４０及び着脱装置５０に組立し、本考案の回転角構造と回転軸４０及び着脱装置５０を完全な防護さく構造に組み立てるため、防護さく構造をベッドのサイドから取り出したとき、先に回転軸４０の間のレバー３０を取外してから、再び上アーム１０の枢着連結部１１と下アーム２０の枢着連結部２１を回転して、上アーム１０の枢着連結部内の突起１１３が、下アーム２０の枢着連結部内のリブ２１２から離脱させ、上アーム１０と下アーム２０の間の角度が９０度から減少することになり、同じくねじまたはかしめ方式で上アーム１０の筒形継ぎ部１２と下アーム２０の筒形継ぎ部２２に接続したレバー３０が、上アーム１０の枢着連結部１１と下アーム２０の枢着連結部２１の回転に連動して９０度から減少され、さらに、レバー３０に組み立てる着脱装置５０の使用に合せて、レバー３０を並列させることができ、全体の防護さく構造の体積が減少され、防護さく構造の収納便利性を増加させる。
【００１４】
しかし、前記に開示された構成は、単に本考案の好ましい実施例に過ぎなく、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【００１５】
以上のように、本考案は予期の創作目的を達成でき、携帯及び使用便利な防護さくの回転角構造を供給し、使用機能が増加され、実用価値を有するので、法に従って実用新案出願を提起する。
【図面の簡単な説明】
【００１６】
【図１】本考案による組立図である。
【図２】本考案による斜視分解図である。
【図３】本考案による組立を示す断面図である。
【図４】本考案による実施例の使用状態を示す図である。
【図５】本考案による実施例の使用状態を示す動作図である。
【符号の説明】
【００１７】
１０    上アーム
２０    下アーム
１１    枢着連結部
１１１  軸レバー
１１２  貫通孔
１１３  突起
１１４  フランジ
１２    筒形継ぎ部
１２１  レバー
１２２  洞穴
２１１  軸孔
２１２  リブ
２１    枢着連結部
２２    筒形継ぎ部
２２１  レバー
２２２  洞穴
３０    レバー
４０    回転軸
５０    着脱装置
【図１】
0003124879.tif 000003
【図２】
0003124879.tif 000004
【図３】
0003124879.tif 000005
【図４】
0003124879.tif 000006
【図５】
0003124879.tif 000007